(57)【要約】【課題】本発明は，温水洗浄便座やシャワーなどといった，人体の洗浄を行う人体洗浄装置において，人体洗浄に適した湯温で多様な洗浄感が得られる人体洗浄装置を提供することを技術課題としている．【解決手段】熱交換器１４を備えた人体洗浄装置において，加熱された洗浄水を吐出する吐水穴と，該吐水穴に連通して各々違った性状にて洗浄水を吐出する第１，第２の流路を備えたノズルと，装置への人体の近接若しくは使用を検知する検知手段を備えているので，吐水初期から快適な湯温の多彩な洗浄感を得ることができる．【選択図】  図１
2004232401.tif 000002
【特許請求の範囲】
【請求項１】
洗浄水を供給する給水路と，該給水路に接続してなる洗浄水加熱手段と，該洗浄水加熱手段によって加熱された洗浄水の温度を検知する湯温検知手段と，該湯温検知手段の信号を取り込むとともに，前記洗浄水加熱手段の制御を行う制御器と，加熱された洗浄水を吐出する吐水穴と該吐水穴に連通して各々違った性状にて洗浄水を吐出する第１，第２の流路を備えた洗浄ノズルと，前記洗浄水加熱手段に連通し，加熱された洗浄水を前記第１，第２の流路に所定の比率で分配流入させる制御弁と，該制御弁による前記第１，第２の流路への洗浄水の分配比を設定する分配比設定手段とを備えてなる人体洗浄装置において，該装置への人体近接若しくは該装置の使用を検知する検知手段と，該検知手段からの近接信号若しくは使用開始信号に連動して，前記第１，第２の両流路を前記洗浄水加熱手段に連通させた状態となるよう前記制御弁を制御し，前記洗浄水加熱手段を起動し洗浄水を所定時間通水せしめる制御器とを設けたことを特徴とする人体洗浄装置．
【請求項２】
請求項１記載の人体洗浄装置において，前記洗浄水加熱手段は，洗浄水を必要時にのみ連続して昇温可能な瞬間型の加熱手段であることを特徴とする人体洗浄装置．
【請求項３】
請求項２記載の人体洗浄装置において，前記第２の流路は洗浄水を拡散させて前記吐水穴から吐出させる拡散流路であり，前記第１の流路は前記拡散流路よりも直線的に洗浄水を吐出させる直進流路であることを特徴とする人体洗浄装置．
【請求項４】
請求項３記載の人体洗浄装置において，前記洗浄水の拡散は前記洗浄水に前記吐水穴の軸心回りの旋回力を付与してなることを特徴とする人体洗浄装置．
【請求項５】
請求項１ないし５いずれか記載の人体洗浄装置において，前記洗浄ノズルから吐出される洗浄水に脈動を与える脈動発生手段とを設けたことを特徴とする人体洗浄装置．
【発明の詳細な説明】
【０００１】
【発明の属する技術分野】
本発明は，給水源から供給される水を所定温度の適温湯に加熱して人体を洗浄する人体洗浄装置に関するものである．
【０００２】
【従来の技術】
従来のこの種の人体洗浄装置として，使用者の存在を検知する検知手段と，水源から供給される洗浄水を昇温可能な加熱手段と，前記加熱手段に接続された第１水路系と，前記第１水路系が分岐してなる複数の第２水路系と，前記複数の第２水路系のいずれかを選択的に連通せしめる流路切替手段と，前記第２水路系の終点位置に各々設けた噴出口と，前記噴出口の位置を可変する駆動手段と，前記噴出口の待機位置に設けた噴流遮断部材と，制御器を備え，制御器は前記検知手段の信号に同期して，前記噴出口が待機状態にある状態において，前記第１水路系と前記第２水路系の少なくともひとつを連通せしめるとともに加熱手段を駆動し，所定時間温水を第２水路系に供給せしめる構成としたものがある  （特許文献１参照）．本構成では，使用者の存在を検知すると，待機位置にある噴出口から所定時間加熱された洗浄水を放出することで，第２水路系を予備加熱し，人体に対する冷水の噴出を極力抑え，快適で使い勝手の良い人体洗浄装置となっている．
【０００３】
【特許文献１】特開２００２−４３８６号公報  （第６，７頁，第３図）
【０００４】
【従来の技術における課題】
しかしながら，最近の使用者の洗浄感に対する要求は多岐にわたるものとなってきており，水量の変化によって洗浄の強さを変化させたり，洗浄水への気泡の混入によって洗浄のやわらかさを変化させたりするだけでは，多くの使用者の洗浄感に対する要求に充分応えることが難しくなってきている．例えば，洗浄面積などについての好みも個人によって様々であり，それらの要求にも応えることが必要となってきている．
【０００５】
【課題を解決するための手段・作用・効果】
かかる課題を解決するために，第１の発明における人体洗浄装置では，洗浄水を供給する給水路と，該給水路に接続してなる洗浄水加熱手段と，該洗浄水加熱手段によって加熱された洗浄水の温度を検知する湯温検知手段と，該湯温検知手段の信号を取り込むとともに，前記洗浄水加熱手段の制御を行う制御器と，加熱された洗浄水を吐出する吐水穴と該吐水穴に連通して，各々違った性状にて洗浄水を吐出する第１，第２の流路を備えた洗浄ノズルと，前記洗浄水加熱手段に連通し，加熱された洗浄水を前記第１，第２の流路に所定の比率で分配流入させる制御弁と，該制御弁による前記第１，第２の流路への洗浄水の分配比を設定する分配比設定手段とを備えてなる人体洗浄装置において，該装置への人体近接若しくは該装置の使用を検知する検知手段と，該検知手段からの近接信号若しくは使用開始信号に連動して，前記第１，第２の両流路を前記洗浄水加熱手段に連通させた状態となるよう前記制御弁を制御し，前記洗浄水加熱手段を起動し洗浄水を所定時間通水せしめる制御器とを設けたことを特徴とした．
使用者の近接や装置の使用を検知すると，前記吐水穴に連通する前記第１，第２の流路の双方を予備加熱することで，特に極寒時に流路が極端に冷えてしまっている場合において，使用者の好みによって，前記分配比設定手段にて前記第１，第２の流路への洗浄水の分配比がいかなる値に設定された場合でも，吐水開始から快適な湯温にて洗浄することが可能となる．つまり，洗浄の開始時から，適切な湯温かつ使用者の好みの洗浄感にて快適に洗浄することが可能となる．
【０００６】
第２の発明における人体洗浄装置では，前記洗浄水加熱手段は，洗浄水を必要時にのみ連続して昇温可能な瞬間型の加熱手段であることを特徴とした．
瞬間型の加熱手段にすることによって，装置の非使用時には洗浄水を加熱しないため大幅な節電を図ることができる．また，非使用時に加熱手段内で冷えてしまった洗浄水を放出し，かつ洗浄水の流路内を予備加熱することができる．
【０００７】
第３の発明における人体洗浄装置では，前記第２の流路は洗浄水を拡散させて前記吐水穴から吐出させる拡散流路であり，前記第１の流路は前記拡散流路よりも直線的に洗浄水を吐出させる直進流路であることを特徴とした．
前記拡散流路と前記直進流路の水量の比率について，拡散流路の比率が増加したときには，洗浄面積が増加し，やわらかくたっぷりな水量感を得ることができ，直進流路の比率が増加したときには洗浄面積が減少し，集中的で力強く，刺激的な洗浄感を得ることができる．この洗浄感は，前記分配比設定手段によって使用者が任意に選択することが可能であり，使用者は洗浄開始時から快適な湯温で洗浄できるだけでなく，好みの洗浄感にて洗浄することができる．
【０００８】
第４の発明における人体洗浄装置では，前記洗浄水の拡散は前記洗浄水に前記吐水穴の軸心回りの旋回力を付与してなることを特徴とした．
前記吐水穴の軸心回りの旋回力を付与するための流路構造としては，前記吐水穴の軸心に対して偏心指向した流路とするだけで良く，簡単な流路にて構成することができる．
【０００９】
第５の発明における人体洗浄装置では，前記洗浄ノズルから吐出される洗浄水に脈動を与える脈動発生手段とを設けたことを特徴とした．
前記洗浄ノズルから吐出される洗浄水に脈動を与えることにより，より少ない流量で洗浄感および洗浄力に優れた洗浄が可能となる．これにより，洗浄水の昇温能力をより高めたり，前記加熱手段の出力を低減させたりすることができ，節水および節電に寄与し，全体として大幅な省エネも可能となる．また，流量を少なくすることができることで，洗浄水の流路容積を低く抑えることが可能となり，ひいては洗浄水流路の熱容量を低減でき，より短時間で洗浄水の流路内を予備加熱することまで可能となる．
【００１０】
【発明の実施の形態】
以下，本発明における実施の形態の例について添付図面に基づいて説明する．
本発明における実施の形態による人体洗浄装置を図１に，おしり洗浄や，ビデ洗浄操作を行うためのリモコン４１を図２に示す．
【００１１】
ここで図１は，洗浄水の供給系を示す概略構成図である．リモコン４１には，おしり洗浄を行うためのおしり洗浄スイッチ４３，おしり洗浄よりもソフトな水流でおしりを洗う，やわらか洗浄スイッチ４４，ビデ洗浄を行うビデ洗浄スイッチ４５，洗浄動作を停止させるための止スイッチ４２が配置されており，使用者は上記スイッチから適宜選択して洗浄を行うことができる．また，洗浄強さを調節するための水勢調節スイッチ４６ａ，ｂや，洗浄面積を変更するための洗浄面積選択スイッチ４７ａ，ｂも備えており，使用者の好みに合わせた洗浄を行うことができる．
【００１２】
図１において，洗浄水を供給する給水配管１１には，上流側から順に，圧力調整弁１２，電磁弁１３，熱交換器１４が接続されている．熱交換器１４の出口部には，バキュームブレーカ１５が接続されている．バキュームブレーカ１５の下流は二方に分岐し，一方は余剰の水を便器内に直接排出するための捨水配管１６へ，他方は脈動発生装置１７に接続されている．脈動発生装置１７の下流には，流路切替兼流量調整弁１８が接続されている．流路切替兼流量調整弁１８の下流は二方に分岐し，一方は捨水路１９へ，他方は流路切替兼流量比制御弁２０を介して洗浄水を人体へ噴出するノズル装置２１へ接続されている．なおこの例では，流路切替兼流量比制御弁２０はノズル装置２１と一体的に構成されている．
【００１３】
また，熱交換器１４内には温水ヒータ２２が，また熱交換器１４の入水部と出水部，それぞれ冷水サーミスタ２３及び温水サーミスタ２４が設けてある．また，捨水路１９の排水先は，ノズル装置２１の胴体を洗浄できる位置にしている．また，ノズル装置２１には，おしり洗浄吐水穴６３に連通するおしり洗浄の第１，第２の流路２５，２６，ビデ洗浄吐水穴（図示せず）に連通するビデ流路２７の３つの流路が構成されている．なお上記各部の制御は，制御器２８によって行われる．
【００１４】
本実施例では，脈動発生装置１７の上流にアキュームレータ２９を，また，熱交換器１４内にはフロートスイッチ３０を設けている．アキュームレータ２９は，脈動発生装置１７で発生した脈動が上流へ伝播するのを防ぐためのものであり，フロートスイッチ３０は，所定の水位を検知していないときには，温水ヒータ２２への通電を行わないようにすることで空焚きを防ぐためのものである．
【００１５】
上記の構成により，電磁弁１３の開動作により給水配管１１から供給された洗浄水は，熱交換器１４により適温の湯に加熱され，バキュームブレーカ１５を押し上げ，脈動発生装置１７により脈動を付与され，流路切替兼流量調整弁１８へと至る．ここで洗浄水は，流路切替兼流量調整弁１８により流量調節され，流路切替兼流量比制御弁２０へと至り，流路切替兼流量比制御弁２０により選択された流路に所定の比率をもって流れ込み，ノズル装置２１から噴出される．
【００１６】
次に，本発明における第１の実施の形態における，おしり洗浄水路構造を表すノズルヘッド６１について，内部構造を透視して概略的に表した概略斜視図を図３に示す．なお本図では，ビデ洗浄流路については省略している．
図示するように，ノズルヘッド６１は外気巻き込み室６２，おしり洗浄オリフィス６５，スロート６７，スロートの終端にあり，おしり洗浄オリフィス６５よりも大きい径にて構成されているおしり洗浄吐水穴６３並びに外気導入通路６４を有し，おしり洗浄オリフィス６５の下方に洗浄水渦室６６を有する．そして，洗浄水の給水経路として，洗浄水渦室６６にその軸心を指向して接続された第１流路２５，当該渦室に偏心して接続された第２流路２６とを有する．そしてこの両流路には，流路切替兼流量比制御弁２０によって，リモコンのスイッチにて使用者が選択した水勢や洗浄面積にもとづき決定された所定の比率（Ｑａ，Ｑｂ）に分配された洗浄水が流入する．
【００１７】
また，図４には流路切替兼流量比制御弁２０にて，流路の切替や流量比率の制御を行うためのディスク形状の一例を示す．本制御弁では，可動側ディスクであるロータ８１の穴形状と，固定側ディスクであるステータ８４の穴形状の重なり具合によって，どの流路に，どの程度の比率をもって洗浄水を流すかを決定している．
【００１８】
ロータ８１には，貫通穴８２，８３が設けられており，ステータ８４にはビデ流路２７に連通する貫通穴８７と，第１流路２５に連通する開口部８５，第２流路２６に連通する開口部８６とを備えている．２つの開口部８５，８６には，第１，第２流路２５，２６に連通する貫通穴部８５ａ，８６ａに加え，ふたつの流路に流す洗浄水の比率をきめ細かく制御するための，流調溝部８５ｂ，８６ｂが設けられている．
【００１９】
ここで，ロータ８１とステータ８４の組合せ角度の例を，図４（ａ）〜（ｇ）に示す．これらの図では，ロータ８１とステータ８４の組合せにより，連通している部分をハッチングにて示している．図４（ａ）は，第１流路２５にのみ連通した状態，図４（ｂ）は，第２流路にのみ連通した状態，図４（ｃ）は，ビデ流路２７にのみ連通した状態，図４（ｇ）は，全ての流路に連通した状態（後述する，セルフクリーニング時の状態）を示す．
【００２０】
また，Ｑａ＞＞Ｑｂの関係に調整したい場合は，図４（ｅ）の状態となるよう，ロータ８１とステータ８４を調節する．更にＱａとＱｂの比率を細かく調整したい場合は，貫通穴８２と流調溝部８６ｂの重なり具合を変更することによって，例えばＱａを増加させたい場合は，ロータ８１を時計回りに，減少させたい場合は，ロータ８１を半時計回りに適宜回転させることで，きめ細かい調整ができる．
【００２１】
同様に，Ｑｂ＞＞Ｑａの関係に調整したい場合は，図４（ｄ）の状態に，ＱａとＱｂをほぼ同等の比率に調整したいときは，図４（ｆ）のような状態にロータ８１の角度を調整すればよい．
【００２２】
ここからは，上述したノズルヘッド６１から洗浄水を吐出した際の吐水の様子について説明する．
先ず，第１流路２５のみに洗浄水を給水した場合には，洗浄水は，洗浄水渦室６６にその軸心を指向して流入する．このようにして流入した洗浄水は，渦室内でほとんど旋回することなくオリフィス６５を通過し，スロート６７とはほとんど干渉することなくおしり洗浄吐水穴６３から吐出される．そしてこの場合には，渦室内での洗浄水に旋回が発生しないことから，次のような吐水状況となる．
【００２３】
▲１▼外気巻き込み室６２での空気巻き込み量は，洗浄水に旋回がある場合よりも少なくなるので，やわらか感は小さくなる．
▲２▼吐水形態はコーン状ＫＳとはならず，ほぼ円柱状のままのものとなる．このため，図３に示すように狭い洗浄面積ＳＭａを，空気混入量が少なく円柱状をした洗浄水で集中的に力強く洗浄ができる．上記した現象は，第１流路２５の流量比率Ｑ１と第２流路２６の流量比率Ｑ２がＱ１＞＞Ｑ２の場合でも生じる．
【００２４】
その一方，流量比率Ｑ１とＱ２を，Ｑ２＞＞Ｑ１の関係で調整した場合は，第２流路２６から給水された洗浄水が渦室内挙動を支配するので，両経路から渦室内に流入した洗浄水は，図中矢印ＳＹで示すように渦室内で旋回する．
【００２５】
よって，▲１▼この吐水により，外気巻き込み室６２での空気巻き込み量は多くなり，充分なやわらか感を持った吐水とすることができる．▲２▼吐水形態はコーン状ＫＳとなるので，図３に示すように広い洗浄面積ＳＭｃを，空気混入量が多いために充分な水量感を与えつつ洗浄できる．
【００２６】
そして，流量比率Ｑ１とＱ２を，ほぼ同じ比率となるよう流路切替兼流量比制御弁２０を調整した場合は，渦室内挙動に及ぼす第２流路２６からの洗浄水の影響が小さくなってくる．よって，このように流量比率を調整した場合は，両流路から渦室内に流入した洗浄水は，図中矢印ＳＹで示すように渦室内で旋回するものの，旋回の程度が小さくなり，次のような吐水となる．
▲１▼旋回の程度が小さくなる分，外気巻き込み室６２での空気巻き込み量は減少するので，やわらか感は少しずつ薄れる吐水となる．
▲２▼吐水形態はコーン状ＫＳであるものの，旋回の程度に応じて，図３に示すように洗浄面積は狭く，ＳＭｂ程度となり，流量比率Ｑ１＞＞Ｑ２での吐水と，Ｑ２＞＞Ｑ１での吐水との中間的な洗浄感となる．
【００２７】
したがって，このノズルヘッド６１によれば，上記の両流路からの同時給水とその際の各流路の流量比率調整とにより，空気混入量，吐水強さ，洗浄面積並びにやわらか感を種々調整した洗浄水吐水を実現することができる．
このように，ノズルヘッド６１では洗浄感を上述のように調節できることから，次のように構成することができる．
【００２８】
おしり洗浄スイッチ４３が選択された場合は，力強く洗浄するために，流量比率Ｑ１：Ｑ２がＱ１＞＞Ｑ２となるよう流路切替兼流量比制御弁を制御し，やわらか洗浄スイッチ４４が選択された場合は，広範囲をやさしく洗浄するために，流量比率Ｑ１：Ｑ２がＱ２＞＞Ｑ１となるよう流路切替兼流量比制御弁を制御し，洗浄水を吐出させる．
【００２９】
更に使用者の好みの洗浄範囲で洗浄するために，リモコン４１の洗浄面積選択スイッチ４７ａを押すと，洗浄面積を増加させるために流量比率Ｑ１：Ｑ２についてＱ２の比率を増加させるように流路切替兼流量比制御弁２０を制御し，洗浄面積選択スイッチ４７ｂを押すと，今度は洗浄面積を減少させるためにＱ１の比率を増加させるように流路切替兼流量比制御弁２０を制御するといった調節も可能である．
またこの流量比率の調整は，水勢調節スイッチ４６ａ，ｂの操作によって下記のように行うことも可能である．
【００３０】
水勢調節スイッチ４６ａが押されると，より力強くしっかり洗浄するために，流量比率Ｑ１を増加させるように流路切替兼流量比制御弁２０を制御し，水勢調節スイッチ４６ｂが押されると，よりソフトな洗浄感でやさしく洗浄するために，流量比率Ｑ２を増加させるように流路切替兼流量比制御弁２０を制御する．
【００３１】
以上説明したように，本実施の形態におけるノズルヘッド６１によれば，ひとつの吐水穴で洗浄面積の広狭や，やわらか感の調整が可能となり，使用者のきめ細かな洗浄感に対する要求に対応可能なノズルを実現することができる．
【００３２】
次に，図５に本発明のタイムチャートを示す．人体洗浄装置に設けられた着座センサ（図示せず）によって，使用者の着座を検知すると，電磁弁１３の開動作により洗浄水の通水が始まり，熱交換器１４内の温水ヒータ２２を起動する．これにより，熱交換器１４内の出水部に設けられた温水サーミスタ２４が所定温度を検知すると，温水ヒータ２２の出力を下げ，電磁弁１３が閉じて洗浄水の通水を停止する．これにより，熱交換器１４内の滞留水は所定温度の湯に置換される．
【００３３】
ここで，流路切替兼流量調整弁１８は捨水位置から，ノズル装置２１側へ向かう流路へと切り替えられ，その下流の流路切替兼流量比制御弁２０は予めセルフクリーニング（ＳＣ）位置に設定されているため，洗浄水はノズル装置２１の吐水穴から吐出される．即ち，熱交換器からおしり洗浄吐水穴６３，ビデ洗浄吐水穴（図示せず）までの洗浄水流路の予備加熱が行われるのである．なお，ここで言うセルフクリーニング位置とは，おしり洗浄の第１，第２の流路２５，２６とビデ流路２７の３つの流路全てを開とした状態を示す．
【００３４】
これら一連の動作は制御器２８で制御されるが，熱交換器１４の出水部に設けられた温水サーミスタ２４に加え，熱交換器１４の入水部に冷水サーミスタ２３を設けて入水温を検知するようにすれば，温水ヒータ２２の制御をより効果的に行うことができる．（通水加熱）
上述したとおり，洗浄水の通水を停止した後に  温水ヒータ２２の出力を下げるのであるが，このとき，熱交換器１４内に貯えられる洗浄水の温度が常に所定温度を含む所定温度帯内に保たれるように，温水サーミスタ２４からの信号をもとに，温水ヒータ２２の出力を制御器２８で制御する．
【００３５】
例えば，所定温度を４０℃，所定温度体を３８〜４２℃に設定したとき，熱交換器１４内の洗浄水の温度が常にこの範囲内におさまるように制御するのである．この保温制御により，人体洗浄時に低温水が吐出されて不快を感じたり，高温のお湯が出て火傷をしたりする心配がなくなる．（保温制御）
【００３６】
次におしり洗浄を開始するため，おしりスイッチ４３が操作されると，電磁弁１３，温水ヒータ２２が起動される．これらの起動はおしりスイッチ４３の操作に連動して行われるものであるが，勿論おしりスイッチ４３操作後，所定時間遅延させた後にそれぞれを起動させるように設定することもできる．
【００３７】
ここでも，流路切替兼流量調整弁１８は捨水位置から，ノズル装置２１側へ向かう流路へと切り替えられ，その下流の流路切替兼流量比制御弁２０は予めセルフクリーニング（ＳＣ）位置に設定されているため，洗浄水はノズル装置２１の吐水穴から吐出される．熱交換器からおしり，ビデ洗浄吐水穴までの洗浄水流路の予備加熱が再度行われる．この場合，ノズル装置２１に設けられた全吐水穴から洗浄水が吐出されるため，吐水穴近傍の洗浄効果も得られる．（前洗浄）
【００３８】
前洗浄が所定時間行われた後，流路切替兼流量調整弁１８により洗浄水の流路が捨水路１９に切り替わり，ノズル装置２１がおしり洗浄位置まで伸出する．この捨水路１９の排水先は，ノズル装置２１の胴体を洗浄できる位置にしているので，ノズル装置２１の胴体を洗浄することができる．（ノズル伸出）
【００３９】
ノズルのおしり洗浄位置への伸出が完了すると，流路切替兼流量比制御弁２０は，リモコン４１のスイッチにて指定された所定の位置に切替わり，流路切替兼流量調整弁１８は洗浄水の流路を捨水路１９からノズル装置２１側へと切り替え，かつ，流量が設定された水勢に向かって徐々に上がるように駆動する．これにより設定された水勢が強い場合でも，ソフトな吐水から徐々に設定水勢になるため，使用者に不快感を与えることがない．（ソフトスタート）
【００４０】
上記は流路切替兼流量調整弁１８によるソフトスタートの実施例であるが，脈動発生装置１７を用いて実施することもできる．たとえば，洗浄開始時はソフトな洗浄感の得られる高周波の脈動を洗浄水に与え，次第に周波数を下げてやることや，脈動発生装置１７への出力を徐々に増加させてやることによって，同じ流量でも洗浄強度を徐々に上げることができる．勿論，洗浄強度を連続的に上昇させるために，流路切替兼流量調整弁１８と脈動発生装置１７の両方を複合的に制御するようにしてもよい．
また，あわせて脈動発生装置１７の出力も徐々に設定された水勢に向かって徐々に上がるように制御される．
【００４１】
ソフトスタート動作が完了したときには，温水ヒータ２２と洗浄水の流路内は全て充分に予備加熱された状態であるため，使用者がどのような流量比率Ｑ１：Ｑ２による吐水を選択したとしても，設定された適湯温で，快適におしり洗浄が行われる．またここでは脈動発生装置１７のはたらきにより洗浄水に脈動が付与されているので，少量の水でも快適に洗浄を行うことができる．（本洗浄）
【００４２】
次に，おしり洗浄を停止するため，停止スイッチ４２が操作されると，脈動発生装置１７は駆動を停止し，流路切替兼流量調整弁１８により洗浄水の流路が捨水路１９に切り替わり，ノズル装置２１は待機位置まで収納される．このとき，ノズル伸出の際と同様，ノズル装置２１の胴体を洗浄することができる．なお，流路切替兼流量比制御弁２０はセルフクリーニング位置に切り替えられる．（ノズル収納）
【００４３】
ノズルの収納が終了すると，洗浄水の流路は，再度流路切替兼流量調整弁１８によりノズル装置２１側へと切り替えられ，脈動発生装置１７も起動する．ここで流路切替兼流量比制御弁２０はセルフクリーニング位置に設定されており，洗浄水はノズル装置２１の全吐水穴から吐出される．即ち，吐水穴部とその近傍の後洗浄が行われるのである．このとき，脈動を付与した洗浄水で後洗浄が行われるため，吐水穴とその近傍の汚れを効果的に洗い落とすことができる．（後洗浄）
【００４４】
なお，上述の前洗浄から後洗浄に至る一連の動作中，制御器２８は温水サーミスタ２４や冷水サーミスタ２３からの信号をもとに，熱交換器１４から流出する洗浄水が適温に保たれるように制御している．
【００４５】
後洗浄が所定時間行われた後，脈動発生装置１７，電磁弁１３は順に駆動を停止し，温水ヒータ２２は出力を下げる．ここでも熱交換器１４内に貯えられる洗浄水の温度が常に所定温度を含む所定温度帯内に保たれるように，保温制御を行う．これは，再び洗浄操作を行う場合にも，低温水や高温のお湯の吐出を防ぐためである．（保温制御）
【００４６】
そして，上記着座センサ（図示せず）により離座（着座オフ）を検知すると，温水ヒータ２２の駆動を停止する．但し，熱交換器１４内の洗浄水の凍結を防止するため，冷水サーミスタ２３か温水サーミスタ２４が凍結の恐れのある水温を検知した場合には，所定時間温水ヒータ２２を駆動して洗浄水を温める制御を行う．（待機）
【００４７】
本実施例では，おしり，やわらか洗浄について記述したが，本発明をビデ洗浄に適用することも可能なのは勿論である．
また，本実施例では，装置の使用を検知する手段として，着座センサを用いているが，便ふたの開閉を検知する開閉検知センサや，装置への人体の近接を検知する人体検知センサなどを適用することもできる．
【００４８】
また，本実施例では，瞬間加熱型の熱交換器を使用した人体洗浄装置について説明したが，貯湯型の熱交換器を使用した人体洗浄装置に応用しても，流路内の予備加熱や多彩な洗浄感といった効果を得ることが可能である．
【００４９】
更に，以上述べた例は，人体の中でもとくに局部の洗浄を行う人体洗浄装置について説明を行ったが，シャワーや水栓などの一般的な人体洗浄装置に本実施例が応用できることは言うまでもない．
【図面の簡単な説明】
【図１】本発明の実施例を示す概略構成図
【図２】本発明の実施例におけるリモコンの外観図
【図３】本発明の実施例におけるノズルヘッドの概略構成斜視図
【図４】本発明の実施例における流路切替兼流量比制御弁のディスク構成と，その組合せの例を示す図
【図５】本発明の実施例におけるタイムチャート
【符号の説明】
１１              給水配管
１２              圧力調整弁
１３              電磁弁
１４              熱交換器
１５              バキュームブレーカ
１６              捨水配管
１７              脈動発生装置
１８              流路切替兼流量調整弁
１９              捨水路
２０              流路切替兼流量比制御弁
２１              ノズル装置
２２              温水ヒータ
２３              冷水サーミスタ
２４              温水サーミスタ
２５              おしり洗浄の第１流路
２６              おしり洗浄の第２流路
２７              ビデ流路
２８              制御器
２９              アキュームレータ
３０              フロートスイッチ
４１              リモコン
４２              止スイッチ
４３              おしり洗浄スイッチ
４４              やわらか洗浄スイッチ
４５              ビデ洗浄スイッチ
４６ａ，ｂ        水勢調節スイッチ
４７ａ，ｂ        洗浄面積選択スイッチ
６１              ノズルヘッド
６２              外気巻き込み室
６３              おしり洗浄吐水穴
６４              外気導入通路
６５              おしり洗浄オリフィス
６６              洗浄水渦室
６７              スロート
８１              ロータ
８２，８３，８７  貫通穴
８４              ステータ
８５，８６        開口部
【図１】
2004232401.tif 000003
【図２】
2004232401.tif 000004
【図３】
2004232401.tif 000005
【図４】
2004232401.tif 000006
【図５】
2004232401.tif 000007